(57)【要約】【課題】  履物内底部に敷設される中敷が、この履物使用者によって異なる足裏ツボの分布に適切に対応した位置に押圧刺激と磁力線を相乗的に作用させることができ、健康の促進を図る履物用中敷を提供する。【解決手段】  履物内底部に敷設される裏中敷１ａと、この裏中敷１ａの上面に貼着される上中敷１ｂとから成り、上中敷１ｂは、足裏面の主要なツボを基本分布として定め、これら基本分布に対応して穿設された複数の挿通孔２の周縁にそれぞれ装着される非磁性体の縁金４と、これら縁金４に対応して上中敷１ｂの裏面に配設され上記縁金４の内径より大径となる円板状の磁気吸着板と、この磁気吸着板の上面に着脱可能に吸着されて上中敷１ｂの上面から突出した状態で上記各縁金４内に収容される永久磁石の小球体ＭＢとから構成される。【選択図】  図１
2007061235.tif 000002
【特許請求の範囲】
【請求項１】
履物使用者の前踏部と土踏まず部と踵部に対応する足形外郭形状に形成され靴状の履物Ｋ内底部に敷設される中敷１に於いて、
上記中敷１は、履物内底部に敷設される下中敷１ａと、該下中敷１ａの上面に貼着され足裏面に接触する上中敷１ｂとから成り、上記上中敷１ｂは、足裏面の主要なツボを基本分布として定め、これら基本分布に対応して穿設された複数の挿通孔２の周縁にそれぞれ装着される非磁性体の縁金４と、上記上中敷１ｂの裏面に上記各縁金４に対応して配設され上記縁金４の内径より大径となる円板状に形成された鉄製の磁気吸着板６と、この磁気吸着板６の上面に着脱可能に吸着されて上記上中敷１ｂの上面から突出した状態で上記各縁金４内に収容される永久磁石の小球体ＭＢとから構成され、上記基本分布のうち上記履物使用者が必要とする足裏面のツボの分布に対応する上記各縁金４内に上記小球体ＭＢを選択的に収容配置し、上記複数の小球体ＭＢにより履物使用者の足裏ツボを押圧するようにしたことを特徴とする履物用中敷。
【請求項２】
上記磁気吸着板（６）８の中心部には、上記小球体ＭＢを支持すべくこの小球体ＭＢより小径の貫通孔８ａが形成されていることを特徴とする請求項１記載の履物用中敷。
【請求項３】
上記小球体ＭＢは希土類の磁石であって、一軸異方性の磁気特性を有していることを特徴とする請求項１記載の履物用中敷。
【請求項４】
上記中敷１は、上記下中敷１ａの裏面に上記履物Ｋ内底部に着脱可能に装着するマジックテープが設けられていることを特徴とする請求項１に記載の履物用中敷。
【請求項５】
上記履物Ｋ’は、上記中敷１を敷設する履物内底部が、踵部に対し前踏部が高くなる傾斜面で構成されていることを特徴とする請求項１または４に記載の履物用中敷。
【発明の詳細な説明】
【技術分野】
【０００１】
本発明は、履物用中敷に係り、特に前踏部、土踏まず部及び踵部に対応して足形外郭形状に形成され、靴状の履物内底部に敷設されて履物使用者の足裏ツボに物理的刺激を与えるようにした履物用中敷に関する。
【背景技術】
【０００２】
従来から、足裏に多く存在するツボに物理的刺激を与えて健康の促進を図るようにした靴の中敷は数多く提案されている。例えば、前踏部と土踏まず対応部及び踵部とで略足形輪郭部形状に形成し、土踏まず対応部を、足の外側に向く厚みを薄くして稜線部を足裏曲面に沿う凹曲面に形成した硬質ゴム製または合成樹脂製の指圧用刺激体を成形し、又はこの指圧用刺激体に、高低差のある刺激用突起体の多数を突設したり磁石を併用した構成とし、これを、ファスナーを介して靴の底部に着脱可能に固定するようにした中敷が知られている（特許文献１参照）。
【０００３】
この中敷は、歩行運動時に加わる体重の付加状態変化を利用して、上記刺激用突起体により足裏全面又は土踏まずのツボに物理的刺激を与えて指圧効果を高めるとともに、複数の磁石を埋設させることで磁石から生じる磁力線とツボ刺激を相乗的に作用させるようにしたものである。
【０００４】
【特許文献１】登録実用新案第３０１９６７６号公報
【発明の開示】
【発明が解決しようとする課題】
【０００５】
ところで、上記の中敷は、指圧用刺激体に複数の刺激用突起体を一定配列で一体的に突設し、指圧用刺激体の内部に複数の磁石を埋設させることで磁石から生じる磁力線とツボ刺激を相乗的に作用させるようにした点で好ましい効果を有するものである。
【０００６】
しかしながら、上記の中敷は、指圧用刺激体が土踏まず対応部領域を着脱可能に構成するとともに、複数の刺激用突起体を金型により指圧用刺激体と一定配列で一体成形され、複数の磁石を指圧用刺激体に埋設した構成となっている。
【０００７】
従って、従来の中敷では指圧用刺激体を、金型を使用して一体成形されるのでコスト高となる問題を有するだけでなく、複数の刺激用突起体や複数の磁石が上記指圧用刺激体に一定配列で成形されているため、個人差によりツボの分布が異なった場合に刺激用突起体が当該ツボに適切に対応しないため指圧効果が薄れる問題を有している。
【０００８】
本発明は、このような問題点に着目してなされたもので、履物内底部に敷設される中敷が、この履物使用者によって異なる足裏ツボの分布に適切に対応した位置に押圧刺激と磁力線を相乗的に作用させることができ、健康の促進を図る履物用中敷を提供することを目的とする。
【課題を解決するための手段】
【０００９】
上記目的を解決するために、本発明の請求項１に記載の履物用中敷は、履物使用者の前踏部と土踏まず部と踵部に対応する足形外郭形状に形成され靴状の履物Ｋ内底部に敷設される中敷１に於いて、上記中敷１は、履物内底部に敷設される下中敷１ａと、該下中敷１ａの上面に貼着され足裏面に接触する上中敷１ｂとから成り、上記上中敷１ｂは、足裏面の主要なツボを基本分布として定め、これら基本分布に対応して穿設された複数の挿通孔２の周縁にそれぞれ装着される非磁性体の縁金４と、上記上中敷１ｂの裏面に上記各縁金４に対応して配設され上記縁金４の内径より大径となる円板状に形成された鉄製の磁気吸着板６と、この磁気吸着板６の上面に着脱可能に吸着されて上記上中敷１ｂの上面から突出した状態で上記各縁金４内に収容される永久磁石の小球体ＭＢとから構成され、上記基本分布のうち上記履物使用者が必要とする足裏面のツボの分布に対応する上記各縁金４内に上記小球体ＭＢを選択的に収容配置し、上記複数の小球体ＭＢにより履物使用者の足裏ツボを押圧するようにしたことを特徴とする履物用中敷である。
上記の履物用中敷１によれば、靴状の履物内底部に履物用中敷１を敷設する際に、予め定められた基本分布のうち、履物使用者が必要とする足裏面のツボの分布に対応する各縁金４内に永久磁石で構成された上記小球体ＭＢを選択的に収容配置すると、これら小球体ＭＢは磁気吸着板６の上面に吸着される。これにより、上記上中敷１ｂの上面から突出した複数の小球体ＭＢが上記履物使用者の足裏ツボを押圧すると同時に足裏ツボに磁力を作用させる。
【００１０】
請求項２に記載の履物用中敷は、上記磁気吸着板（６）８の中心部には、上記小球体ＭＢを支持すべくこの小球体ＭＢより小径の貫通孔８ａが形成されていることを特徴とする履物用中敷である。
上記の履物用中敷によれば、上記磁気吸着板８上に吸着された小球体ＭＢは、小径の貫通孔８ａ内に着座した状態で位置決め保持される。
【００１１】
請求項３に記載の履物用中敷は、上記小球体ＭＢが希土類の磁石であって、一軸異方性の磁気特性を有していることを特徴とする履物用中敷である。
上記の履物用中敷によれば、上記小球体ＭＢが一軸異方性の磁気特性を有しているので、上記磁気吸着板（６）８の上面に何れかの磁極（Ｓ極またはＮ極）が吸着した際、上記磁気吸着板（６）８の上面に対しＮ極からＳ極に向く磁力線が垂直上方または下方に作用する。
【００１２】
請求項４に記載の履物用中敷は、上記中敷１が、上記下中敷１ａの裏面に上記履物Ｋ内底部に着脱可能に装着するマジックテープが設けられていることを特徴とする履物用中敷である。
上記の履物用中敷によれば、上記小球体ＭＢの配置を変更する際や中敷１を清掃したり交換する際に上記履物内底部に対し着脱される。
【００１３】
請求項５に記載の履物用中敷は、上記履物Ｋ’が、上記中敷１を敷設する履物内底部が、踵部に対し前踏部が高くなる傾斜面で構成されていることを特徴とする履物用中敷である。
上記の履物用中敷によれば、踵部に対し前踏部が高くなる傾斜面で構成された履物内底部に、上記中敷１がマジックテープを使用して敷設される。
【発明の効果】
【００１４】
本発明は以下の効果を奏する。
【００１５】
請求項１に記載の発明によれば、履物使用者が必要とする足裏面のツボの分布に対応して、永久磁石で構成された複数の小球体を各縁金内に選択的に収容配置することで、履物使用者によって異なる足裏ツボの分布に適切に対応した位置に押圧刺激と磁力線を相乗的に作用させることができる。
【００１６】
請求項２に記載の発明によれば、小径の貫通孔内に小球体が着座した状態で保持されるので、履物用中敷上に吸着された小球体に履物使用者の体重が作用しても安定状態に保持される。
【００１７】
請求項３に記載の発明によれば、上記小球体が一軸異方性の磁気特性を有しているので、上記磁気吸着板に何れかの磁極が吸着した際、上記磁気吸着板の面に対し垂直上方に向けて発生する磁力線が履物使用者の足裏ツボに効果的に作用する。
【００１８】
請求項４に記載の発明によれば、下中敷の裏面には、履物内底部に着脱可能に装着するマジックテープが設けられているので、小球体の分布を変更する際や中敷を清掃したり交換する際に、上記中敷を容易に着脱することができる。
【００１９】
請求項５に記載の発明によれば、踵部に対し前踏部が高くなる傾斜面で構成された履物内底部に中敷がマジックテープを使用して敷設されるので、履物内底部が傾斜面でも確実に装着することができ、つま先上りの履物による健康増進効果と相俟って足裏ツボに対し押圧刺激と磁力線を相乗的に作用させることができる。
【発明を実施するための最良の形態】
【００２０】
本発明の実施例を以下に説明する。
【実施例１】
【００２１】
図１〜図５には、本発明の実施例１に係る履物用中敷の適用例が示されている。図１（ａ）は本発明の実施例１に係る履物用中敷の上面図、（ｂ）は履物用中敷の下面図、図２は下中敷の一部を破断して上中敷の裏面を表した履物用中敷を下面から視た斜視図、図３は非磁性体の縁金内に収容されて磁気吸着板に吸着された永久磁石の小球体の磁力線の作用方向を示す説明図、図４（ａ）は小球体と磁気吸着板との関係を示す斜視図、（ｂ）は磁気吸着板の変形例であって、貫通孔を形成した磁気吸着板と小球体との関係を示す斜視図、図５は本発明の履物用中敷を通常の靴内底部に敷設した状態を示す断面図である。
【００２２】
図１（ａ）において、中敷１は、履物使用者の前踏部と土踏まず部と踵部に対応するよう例えば合成樹脂または皮革などで足形外郭形状に形成され、後述する靴状の履物内底部に敷設されるものであって、下中敷１ａと、この下中敷１ａの上面に例えば接着剤５（図３参照）を介して貼着された上中敷１ｂとから構成されており、上中敷１ｂには複数の永久磁石の小球体ＭＢ（＝外径６ｍｍ）が足裏面の基本分布となるツボの主要部に対応して配設されている。
【００２３】
すなわち、上記上中敷１ｂにおける基本分布となるツボの主要部には、上記小球体ＭＢを挿通できる複数の挿通孔２が穿設されており、これら挿通孔２の周縁にはリング状に形成された非磁性体（例えば真鍮）の縁金４が装着される。
【００２４】
この縁金４は、内径が上記小球体ＭＢの外径より若干大径に形成されており、各縁金４に対応して上記上中敷１ｂの裏面には円板状に形成された鉄製の磁気吸着板６が配置されており、この状態で上記上中敷１ｂと下中敷１ａを貼着することで、上中敷１ｂと下中敷１ａの間にこれら磁気吸着板６を挟着する。次いで両中敷１ａ,１ｂを貼着したのちは、下中敷１ａの下面には靴内底部に敷設するためのマジックテープ（商標名）が張付けられる。
【００２５】
このように、下中敷１ａの裏面には、靴内底部に着脱可能に装着するマジックテープが張付けられるので、小球体ＭＢの分布を変更する際や中敷１を清掃したり交換する際に、この中敷１を容易に着脱することができる。
【００２６】
ここで、永久磁石である小球体ＭＢに付き詳述する。この小球体ＭＢは、希土類磁石で構成されており、磁気異方性（１軸異方性）の特性を持った元素を含んだもので構成されている。すなわち、希土類磁石は原子番号５７〜７１の１５元素に、スカンジウム（ＳＣ）とイットリウム（Ｙ）を加えたものの総称で、その中のサマリウムやネジウムといった強力な磁気異方性の特性を有する磁石である。
【００２７】
例えば、ネジウム磁石の製造工程は、原料→溶解→粉砕→プレス成形→燒結→時効処理→機械加工→着磁→製品となる。
【００２８】
上記の小球体ＭＢを縁金４内に挿入した場合、図４（ａ）に示すように、小球体ＭＢのＮ極またはＳ極が磁気吸着板６に吸着されて上記Ｎ極とＳ極を結ぶ直線が上記磁気吸着板６の吸着面に対し垂直上方に向いた状態となり、Ｎ極が磁気吸着板６に吸着した状態では図３に示すようにＮ極からＳ極に向く磁力線が形成される。
【００２９】
なお、上記の磁気吸着板６は、鉄製の磁性体で円板状に形成された例に付き説明したが、これに限定されるものではない。例えば、図４（ｂ）に示すように鉄製の磁性体で構成された円板の中央に貫通孔８ａを形成した磁気吸着板８としても良く、中央に円錐状の凹部をプレス形成しても良いことは勿論である。
【００３０】
このように構成することで、小径の貫通孔８ａ内に小球体ＭＢが着座した状態で保持されるので、上記中敷１上に吸着された小球体ＭＢに履物使用者の体重が作用して転動しても一定位置に安定状態に保持され、Ｎ、Ｓ極も磁力により初期位置の略垂直状態に復元することができる。
【００３１】
上記のように、小球体ＭＢは一軸異方性の磁気特性を有しているので、上記磁気吸着板６に何れかの磁極（Ｎ極またはＳ極）が吸着した際、上記磁気吸着板６の面に対し磁力線が垂直上方に向けて発生するので、履物使用者の足裏ツボに効果的に作用する。
【００３２】
一方、人体の両足の裏面には、略２９箇所のツボ（例えば反射帯と称する）が所定の分布で存在していることが従来から知られている。ツボ分布の一例として、これらのツボは、両足の前踏部内側には前方から甲状腺、心臓が、左足の中央部には前方から右肺、右気管が、右足の中央部には左肺、左気管が、両足の前踏部外側には小指側前方に肩が、両足の土踏まず部には胃、小腸が、踵部には、膀胱、小腸などが対応して配置されている。
【００３３】
そこで、本発明の中敷１の上中敷１ｂに、足裏面の主要なツボを基本分布とし定め、これら基本分布に対応して複数（本実施例では２１箇所）の挿通孔２を穿設し、これら複数の挿通孔２の周縁に非磁性体の縁金４がそれぞれ装着される。
【００３４】
このような中敷１の構成とすることで、靴状の履物Ｋ内の底部に中敷１を敷設する際には、図５に示すように予め定められた基本分布のうち、履物使用者が必要とする足裏面のツボの分布に対応する各縁金４内に永久磁石で構成された小球体ＭＢが選択的に収容配置される。
【００３５】
これにより、履物使用者によって必要となる足裏ツボの分布に適切に対応した位置の非磁性体の縁金４内に選択的に小球体ＭＢを挿入すると、この小球体ＭＢが磁性体である磁気吸着板６に吸着され、縁金４内に収容配置された複数の小球体ＭＢによって、上記履物使用者の足裏ツボを押圧すると同時に足裏ツボに磁力を作用させることで、押圧刺激と磁力線を相乗的に作用させることができる。
【実施例２】
【００３６】
次に、実施例２に付き図６を参照して説明する。図６は実施例２に係り、本発明の履物用中敷をつま先上りの履物内底部に敷設した状態を示す断面図である。なお、前述した構成部分と共通部分は同一符号を付しその説明を省略する。
【００３７】
本実施例では、上記実施例が本発明の中敷１を敷設する履物の対象が靴状の履物Ｋであるのに対し、同一出願人が出願し特許第３４６２８３７号として登録されたつま先上り構造の履物Ｋ’にも適用することができる。
【００３８】
このようにすることで、踵部に対し前踏部が高くなる傾斜面で構成されたつま先上りの履物内底部に中敷１が、マジックテープを使用して敷設されるので、履物内底部が傾斜面でも確実に装着することができ、つま先上りの履物Ｋ’による健康増進効果と相俟って足裏ツボに対し、押圧刺激と磁力線を相乗的に作用させることができる。
【図面の簡単な説明】
【００３９】
【図１】（ａ）は本発明の実施例１に係る履物用中敷の上面図、（ｂ）は履物用中敷の下面図である。
【図２】本発明の履物用中敷であって、下中敷の一部を破断して上中敷の裏面を表した履物用中敷を下面から視た斜視図である。
【図３】非磁性体の縁金内に収容されて磁気吸着板に吸着された永久磁石の小球体の磁力線の作用方向を示す説明図である。
【図４】（ａ）は小球体と磁気吸着板との関係を示す斜視図、（ｂ）は磁気吸着板の変形例であって、貫通孔を形成した磁気吸着板と小球体との関係を示す斜視図である。
【図５】本発明の履物用中敷を通常の靴内底部に敷設した状態を示す断面図である。
【図６】実施例２に係り、本発明の履物用中敷をつま先上りの履物内底部に敷設した状態を示す断面図である。
【符号の説明】
【００４０】
１                      中敷
１ａ                    下中敷
１ｂ                    上中敷
２                      挿通孔
４                      縁金
５                      接着剤
６                      磁気吸着板
８                      磁気吸着板
８ａ                    貫通孔
Ｋ                      履物
Ｋ’                    履物
ＭＢ                    小球体
【図１】
2007061235.tif 000003
【図２】
2007061235.tif 000004
【図３】
2007061235.tif 000005
【図４】
2007061235.tif 000006
【図５】
2007061235.tif 000007
【図６】
2007061235.tif 000008